(57)【要約】【課題】  専用工具を使用せずに、容易に扉の左右開きを変更することができる冷蔵庫を提供すること。【解決手段】  扉２の右側の扉上孔２１、および、右側の上枠体３０の枠孔３１に差し込まれている上ピン３５を抜き取ると共に、扉２の右側の扉下孔２２、および、右側の下枠体４０の枠孔４１に差し込まれている下ピン４５を抜き取る。そして、上記上ピン３５を、扉２の左側の扉上孔２１、および、左側の上枠体３０の枠孔３１に差し込むと共に、上記下ピン４５を、扉２の左側の扉下孔２２、および、左側の下枠体４０の枠孔４１に差し込むことで、扉２の左右開きを簡単に変更することができる。上記上ピン３５と上記下ピン４５は、それぞれ、外周面が凹凸状に形成された摘み部３７，４７を有するので、指先が凹凸状の外周面に引っ掛かり滑りにくくなって、この摘み部３７，４７を確実に摘むことができる。【選択図】  図１
2007085614.tif 000002
【特許請求の範囲】
【請求項１】
前面を開口した冷蔵庫本体と、
この冷蔵庫本体の開口を覆う扉と、
上記冷蔵庫本体に取り付けられると共に上記扉の上下面のそれぞれを回転自在に支持して、上記扉を上記冷蔵庫本体に対して回転自在に取り付ける上ヒンジ構造体および下ヒンジ構造体とを備え、
上記扉の上面には、左右両側のそれぞれに扉上孔を設け、上記扉の下面には、左右両側のそれぞれに扉下孔を設け、
上記上ヒンジ構造体は、
上記冷蔵庫本体の左右両側のそれぞれに上記扉の上面の上側に設けられると共に、上記扉上孔に重なる枠孔を有する上枠体と、
上記扉上孔および上記枠孔に抜き取り自在に差し込まれて上記扉を上記上枠体に対して回転自在に取り付けると共に、外周面が凹凸状に形成された上部の摘み部を有する上ピンとを含み、
上記下ヒンジ構造体は、
上記冷蔵庫本体の左右両側のそれぞれに上記扉の下面の下側に設けられると共に、上記扉下孔に重なる枠孔を有する下枠体と、
上記扉下孔および上記枠孔に抜き取り自在に差し込まれて上記扉を上記下枠体に対して回転自在に取り付けると共に、外周面が凹凸状に形成された上部の摘み部を有する下ピンとを含むことを特徴とする冷蔵庫。
【請求項２】
請求項１に記載の冷蔵庫において、
上記上ピンが、上記上枠体の上記枠孔の上側から、上記扉の上記扉上孔、および、上記上枠体の上記枠孔に差し込まれた状態で、上記上ピンと上記扉は、上記上ピンの軸まわり方向に互いに固定される一方、上記上ピンと上記上枠体は、上記上ピンの軸まわり方向に互いに回転自在であり、
上記上枠体は、枠係止部を有し、上記上ピンは、ピン係止部を有し、
上記扉の上記冷蔵庫本体に対する閉状態では、上記ピン係止部は、上記上ピンの軸方向からみて、上記枠係止部の下側に重ならない一方、
上記扉の上記冷蔵庫本体に対する開状態では、上記ピン係止部は、上記上ピンの軸方向からみて、上記枠係止部の下側に重なることを特徴とする冷蔵庫。
【請求項３】
請求項１に記載の冷蔵庫において、
上記下ピンが、上記扉の上記扉下孔、および、上記下枠体の上記枠孔に差し込まれた状態で、上記下ピンと上記扉は、上記下ピンの軸まわり方向に互いに回転自在である一方、上記下ピンと上記下枠体は、上記下ピンの軸まわり方向に互いに固定されることを特徴とする冷蔵庫。
【請求項４】
請求項１に記載の冷蔵庫において、
上記下ピンの上記摘み部は、上記扉の上記扉下孔に差し込まれ、
この摘み部の先端は、テーパ状に形成されていることを特徴とする冷蔵庫。
【請求項５】
請求項１に記載の冷蔵庫において、
上記下枠体は、樹脂部と、この樹脂部にインサート成形された板金部とを有することを特徴とする冷蔵庫。
【請求項６】
請求項５に記載の冷蔵庫において、
上記下枠体は、上記冷蔵庫本体に対して開状態の上記扉に接触して、この扉の開方向の回転を阻止するストッパー部を有し、
このストッパー部は、上記樹脂部から露出した上記板金部であることを特徴とする冷蔵庫。
【請求項７】
請求項１に記載の冷蔵庫において、
上記下枠体は、長孔を有し、
上記下枠体は、上記長孔に遊嵌されたネジによって、上記冷蔵庫本体に取り付けられていることを特徴とする冷蔵庫。
【発明の詳細な説明】
【技術分野】
【０００１】
この発明は、扉の左右開きを変更することができる冷蔵庫に関する。
【背景技術】
【０００２】
従来、冷蔵庫としては、冷蔵庫本体と、左右両側のそれぞれの上下面に嵌合穴を有する扉と、上記冷蔵庫本体にネジにて固定されると共に上記扉の嵌合穴に嵌合される軸を有する上下のヒンジとを備えたものがある（実開平１−１７２６９３号公報：特許文献１参照）。
【０００３】
しかしながら、上記従来の冷蔵庫では、上記上下のヒンジは、上記ネジにて、上記冷蔵庫本体に固定されているので、上記扉の左右開きを変更する場合、上記ネジを外して、上記上下のヒンジを上記冷蔵庫本体の左右逆側に付け替える必要があり、上記ネジを着脱する専用工具を必要とし、上記扉の左右開きを変更するには手間がかかっていた。
【０００４】
【特許文献１】実開平１−１７２６９３号公報
【発明の開示】
【発明が解決しようとする課題】
【０００５】
そこで、この発明の課題は、専用工具を使用せずに、容易に扉の左右開きを変更することができる冷蔵庫を提供することにある。
【課題を解決するための手段】
【０００６】
上記課題を解決するため、この発明の冷蔵庫は、前面を開口した冷蔵庫本体と、この冷蔵庫本体の開口を覆う扉と、上記冷蔵庫本体に取り付けられると共に上記扉の上下面のそれぞれを回転自在に支持して、上記扉を上記冷蔵庫本体に対して回転自在に取り付ける上ヒンジ構造体および下ヒンジ構造体とを備え、
上記扉の上面には、左右両側のそれぞれに扉上孔を設け、上記扉の下面には、左右両側のそれぞれに扉下孔を設け、
上記上ヒンジ構造体は、上記冷蔵庫本体の左右両側のそれぞれに上記扉の上面の上側に設けられると共に、上記扉上孔に重なる枠孔を有する上枠体と、上記扉上孔および上記枠孔に抜き取り自在に差し込まれて上記扉を上記上枠体に対して回転自在に取り付けると共に、外周面が凹凸状に形成された上部の摘み部を有する上ピンとを含み、
上記下ヒンジ構造体は、上記冷蔵庫本体の左右両側のそれぞれに上記扉の下面の下側に設けられると共に、上記扉下孔に重なる枠孔を有する下枠体と、上記扉下孔および上記枠孔に抜き取り自在に差し込まれて上記扉を上記下枠体に対して回転自在に取り付けると共に、外周面が凹凸状に形成された上部の摘み部を有する下ピンとを含むことを特徴としている。
【０００７】
この発明の冷蔵庫によれば、上記冷蔵庫本体、上記扉、上記上ヒンジ構造体および上記下ヒンジ構造体を備えるので、上記扉の左右一方の上記扉上孔、および、左右一方の上記上枠体の上記枠孔に差し込まれている上記上ピンを抜き取って、この上ピンを、上記扉の左右他方の上記扉上孔、および、左右他方の上記上枠体の上記枠孔に差し込むと共に、上記扉の左右一方の上記扉下孔、および、左右一方の上記下枠体の上記枠孔に差し込まれている上記下ピンを抜き取って、この下ピンを、上記扉の左右他方の上記扉下孔、および、左右他方の上記下枠体の上記枠孔に差し込むことで、上記扉の左右開きを簡単に変更することができる。
【０００８】
したがって、専用工具を使用せずに、上記上ヒンジ構造体および上記下ヒンジ構造体を介して、上記扉を上記冷蔵庫本体の左右逆側に取り付けることができて、容易に上記扉の左右開きを変更することができる。
【０００９】
また、上記上ピンおよび上記下ピンは、外周面が凹凸状に形成された上記摘み部を有するので、この摘み部を指で摘んだときに、指先が凹凸状の外周面に引っ掛かり滑りにくくなって、この摘み部を確実に摘むことができ、上記上ピンおよび上記下ピンの抜き取りまたは差し込みの作業性が向上する。
【００１０】
また、上記上ピンおよび上記下ピンは、それぞれ、上部に上記摘み部を有するので、上記上ピンおよび上記下ピンのそれぞれは、上部と下部とでは、形状が相違する。したがって、上記上ピンおよび上記下ピンを、上下反転して、間違って取り付けることがない。
【００１１】
また、一実施形態の冷蔵庫では、上記上ピンが、上記上枠体の上記枠孔の上側から、上記扉の上記扉上孔、および、上記上枠体の上記枠孔に差し込まれた状態で、上記上ピンと上記扉は、上記上ピンの軸まわり方向に互いに固定される一方、上記上ピンと上記上枠体は、上記上ピンの軸まわり方向に互いに回転自在であり、
上記上枠体は、枠係止部を有し、上記上ピンは、ピン係止部を有し、
上記扉の上記冷蔵庫本体に対する閉状態では、上記ピン係止部は、上記上ピンの軸方向からみて、上記枠係止部の下側に重ならない一方、
上記扉の上記冷蔵庫本体に対する開状態では、上記ピン係止部は、上記上ピンの軸方向からみて、上記枠係止部の下側に重なる。
【００１２】
この実施形態の冷蔵庫によれば、上記扉の上記冷蔵庫本体に対する閉状態では、上記ピン係止部は、上記上ピンの軸方向からみて、上記枠係止部の下側に重ならないので、上記上ピンを上記扉上孔から上記上ピンの軸方向に沿って上側へ抜き取ることができる。一方、上記扉の上記冷蔵庫本体に対する開状態では、上記ピン係止部は、上記上ピンの軸方向からみて、上記枠係止部の下側に重なるので、上記上ピンは上記上枠体から抜け止めされる。したがって、上記扉の開状態では、上記上ピンは、上記上枠体から抜き取ることができないので、上記扉の開状態で上記扉が落下する危険性がなく、安全性に優れたものになる。
【００１３】
また、一実施形態の冷蔵庫では、上記下ピンが、上記扉の上記扉下孔、および、上記下枠体の上記枠孔に差し込まれた状態で、上記下ピンと上記扉は、上記下ピンの軸まわり方向に互いに回転自在である一方、上記下ピンと上記下枠体は、上記下ピンの軸まわり方向に互いに固定される。
【００１４】
この実施形態の冷蔵庫によれば、上記下ピンと上記下枠体は、上記下ピンの軸まわり方向に互いに固定されるので、上記下枠体の上記下ピンとの接触部を、耐摩耗性の材質で形成する必要がなく、コストを低減できる。
【００１５】
また、一実施形態の冷蔵庫では、上記下ピンの上記摘み部は、上記扉の上記扉下孔に差し込まれ、この摘み部の先端は、テーパ状に形成されている。
【００１６】
この実施形態の冷蔵庫によれば、上記摘み部の先端は、テーパ状に形成されているので、上記扉の上記扉下孔を上記摘み部に挿入しやすくなる。
【００１７】
また、一実施形態の冷蔵庫では、上記下枠体は、樹脂部と、この樹脂部にインサート成形された板金部とを有する。
【００１８】
この実施形態の冷蔵庫によれば、上記下枠体は、樹脂部と、この樹脂部にインサート成形された板金部とを有するので、上記下枠体が上記樹脂部のみで形成されている場合に比べて、強度を向上できる一方、上記下枠体が上記板金部のみで形成されている場合に比べて、上記板金部の板厚を小さくできて、コストを低減できる。
【００１９】
また、一実施形態の冷蔵庫では、上記下枠体は、上記冷蔵庫本体に対して開状態の上記扉に接触して、この扉の開方向の回転を阻止するストッパー部を有し、このストッパー部は、上記樹脂部から露出した上記板金部である。
【００２０】
この実施形態の冷蔵庫によれば、上記ストッパー部は、上記樹脂部から露出した上記板金部であるので、上記ストッパー部の強度を確保できる。
【００２１】
また、一実施形態の冷蔵庫では、上記下枠体は、長孔を有し、上記下枠体は、上記長孔に遊嵌されたネジによって、上記冷蔵庫本体に取り付けられている。
【００２２】
この実施形態の冷蔵庫によれば、上記下枠体は、上記長孔に遊嵌されたネジによって、上記冷蔵庫本体に取り付けられているので、上記下枠体を、上記ネジに対して、上記長孔の長手方向に移動することができて、上記下枠体の上記冷蔵庫本体に対する取り付け位置を簡単に調整できる。
【発明の効果】
【００２３】
この発明の冷蔵庫によれば、上記冷蔵庫本体、上記扉、上記上ヒンジ構造体および上記下ヒンジ構造体を備えるので、専用工具を使用せずに、容易に上記扉の左右開きを変更することができる。
【発明を実施するための最良の形態】
【００２４】
以下、この発明を図示の実施の形態により詳細に説明する。
【００２５】
図１は、この発明の冷蔵庫の一実施形態である縦断面図を示している。この冷蔵庫は、前面を開口した冷蔵庫本体１と、この冷蔵庫本体１の開口を覆う扉２と、上記冷蔵庫本体１に取り付けられると共に上記扉２の上下面のそれぞれを回転自在に支持して、上記扉２を上記冷蔵庫本体１に対して回転自在に取り付ける上ヒンジ構造体３および下ヒンジ構造体４とを備える。この冷蔵庫は、上記冷蔵庫本体１の上面がテーブル面として利用される、いわゆるテーブル型冷蔵庫である。
【００２６】
上記扉２の上面には、左右両側のそれぞれに扉上孔２１を設け、上記扉２の下面には、左右両側のそれぞれに扉下孔２２を設けている。
【００２７】
図１と図２Ａに示すように、上記上ヒンジ構造体３は、上記冷蔵庫本体１の左右両側のそれぞれに上記扉２の上面の上側に設けられる上枠体３０と、上記扉２を上記上枠体３０に対して回転自在に取り付ける上ピン３５とを含む。
【００２８】
上記上枠体３０は、プレート状であり、上記冷蔵庫本体１の上面に、ネジにて取り付けられている。上記上枠体３０は、上記扉上孔２１に重なる枠孔３１を有する。この枠孔３１には、上記冷蔵庫本体１に設けられたボス部１０が嵌め込まれている。上記左右の上枠体３０，３０は、上記冷蔵庫本体１に取り付けられた状態で、左右対称に形成されている。
【００２９】
上記上ピン３５は、上記上枠体３０の上記枠孔３１の上側から、この枠孔３１の内側にある上記ボス部１０の孔部、および、上記扉２の上記扉上孔２１に抜き取り自在に差し込まれる。つまり、上記上ピン３５は、上記扉２の左右の上記扉上孔２１，２１、および、左右の上記上枠体３０，３０の上記枠孔３１，３１に、着脱自在である。
【００３０】
上記冷蔵庫本体１には、上記上ヒンジ構造体３を覆うカバー部材５が取り付けられている。なお、図２Ａでは、上記カバー部材５を省略して描いており、上記上ピン３５は、右側の上記上枠体３０に差し込まれている。
【００３１】
図１と図２Ｂに示すように、上記下ヒンジ構造体４は、上記冷蔵庫本体１の左右両側のそれぞれに上記扉２の下面の下側に設けられる下枠体４０と、上記扉２を上記下枠体４０に対して回転自在に取り付ける下ピン４５とを含む。
【００３２】
上記下枠体４０は、プレート状であり、上記冷蔵庫本体１の前面に、ネジにて取り付けられている。上記下枠体４０は、上記扉下孔２２に重なる枠孔４１を有する。上記左右の下枠体４０，４０は、上記冷蔵庫本体１に取り付けられた状態で、左右対称に形成されている。
【００３３】
上記下ピン４５は、上記扉２の上記扉下孔２２、および、上記下枠体４０の上記枠孔４１に抜き取り自在に差し込まれる。つまり、上記下ピン４５は、上記扉２の左右の上記扉下孔２２，２２、および、左右の上記下枠体４０，４０の上記枠孔４１，４１に、着脱自在である。
【００３４】
なお、図２Ｂでは、上記扉２を省略して描いており、上記下ピン４５は、右側の上記下枠体４０に差し込まれている。
【００３５】
すなわち、図１、図２Ａおよび図２Ｂに示すように、上記扉２は、上記上ピン３５および上記下ピン４５によって、上記冷蔵庫本体１の右側に取り付けられ、上記扉２は、上記冷蔵庫本体１に対して、上記上ピン３５の軸Ｌ１まわり、および、上記下ピン４５の軸Ｌ２まわりに、回転自在になる。要するに、上記扉２は、右開きになる。
【００３６】
上記上ピン３５が、上記扉２の上記扉上孔２１、および、上記上枠体３０の上記枠孔３１に差し込まれた状態で、上記上ピン３５と上記扉２は、上記上ピン３５の軸Ｌ１まわり方向に互いに固定される一方、上記上ピン３５と上記上枠体３０は、上記上ピン３５の軸Ｌ１まわり方向に互いに回転自在である。
【００３７】
つまり、上記上ピン３５の下端部は、底面からみてＤ字状となるように、Ｄカット加工を施され、上記扉２の上記扉上孔２１は、上記上ピン３５の下端部に対応する形状に形成されている。このように、簡単な構成で、上記上ピン３５と上記扉上孔２１とを嵌合することができる。
【００３８】
図３Ａと図３Ｂに示すように、上記上枠体３０は、枠係止部３２を有する。この枠係止部３２は、上記上枠体３０の本体から上方に延びて内側に折り曲げられて形成された部分である。
【００３９】
上記上ピン３５は、外周面が凹凸状に形成された上部の摘み部３７と、この摘み部３７の下側に位置する中央部のピン係止部３６とを有する。
【００４０】
上記摘み部３７は、円柱状であり、上記上ピン３５の軸Ｌ１に沿って延びている。この摘み部３７の外周面には、周方向の凹溝３８が形成されている。上記ピン係止部３６は、上記上ピン３５の軸Ｌ１に垂直な方向に延びており、上記上ピン３５の軸Ｌ１方向からみて略Ｄ形の鍔状に形成されている。
【００４１】
図３Ａと図３Ｂに示すように、上記扉２の上記冷蔵庫本体１に対する閉状態では、上記ピン係止部３６は、上記上ピン３５の軸Ｌ１方向からみて、上記枠係止部３２の下側に重ならない。したがって、上記上ピン３５を上記上ピン３５の軸Ｌ１方向に沿って上側へ移動させると、上記ピン係止部３６は上記枠係止部３２に接触せず、上記上ピン３５を上記枠孔３１から上記上ピン３５の軸Ｌ１方向に上側へ抜き取ることができる。
【００４２】
一方、上記扉２の開状態では、上記扉２の回転に追従（連動）して、上記上ピン３５が、上記上ピン３５の軸Ｌ１まわりに回転して、図４Ａと図４Ｂに示すように、上記ピン係止部３６は、上記枠係止部３２の下側に重なる。したがって、上記上ピン３５を上記上ピン３５の軸Ｌ１方向に沿って上側へ移動させると、上記ピン係止部３６が上記枠係止部３２に接触して、上記上ピン３５は上記上枠体３０から抜け止めされる。このように、上記扉２の開状態では、上記上ピン３５は、上記上枠体３０から抜き取ることができない。
【００４３】
図１に示すように、上記カバー部材５は、左右の上記上枠体３０，３０を同時に覆うように、左右方向に長尺に形成されている。このカバー部材５は、弾性変形して、上記冷蔵庫本体１の上部の前縁部に着脱される。
【００４４】
上記上ピン３５が上記扉上孔２１に差し込まれて上記ピン係止部３６が上記枠係止部３２の下側に位置すると共に上記カバー部材５が上記冷蔵庫本体１に取り付けられた状態で、上記カバー部材５は、内側に、上記上ピン３５の上方の近傍に位置する抑止部５１を有する。
【００４５】
このように、上記上ピン３５が上記扉上孔２１に確実に差し込まれた状態では、上記抑止部５１にて上記上ピン３５の上記扉上孔２１からの抜けを防止することができる。一方、上記上ピン３５が上記扉上孔２１に確実に差し込まれていない状態では、上記抑止部５１が、上記上ピン３５の上方に当接して、上記カバー部材５を上記冷蔵庫本体１に取り付けることができず、上記上ピン３５が上記扉上孔２１に確実に差し込まれているか否かを、容易に判断することができる。
【００４６】
図５Ａ、図５Ｂおよび図５Ｃに示すように、上記下ピン４５が、上記扉２の上記扉下孔２２、および、上記下枠体４０の上記枠孔４１に差し込まれた状態で、上記下ピン４５と上記扉２は、上記下ピン４５の軸Ｌ２まわり方向に互いに回転自在である一方、上記下ピン４５と上記下枠体４０は、上記下ピン４５の軸Ｌ２まわり方向に互いに固定される。
【００４７】
つまり、上記下ピン４５の下部は、底面からみて、四角形状に形成され、上記下枠体４０の上記枠孔４１は、上記下ピン４５の下部に対応する形状に形成されている。このように、簡単な構成で、上記下ピン４５と上記枠孔４１とを嵌合することができる。
【００４８】
上記下ピン４５は、外周面が凹凸状に形成された上部の摘み部４７と、この摘み部４７の下側に位置する中央部のピン係止部４６とを有する。
【００４９】
上記摘み部４７は、円柱状であり、上記下ピン４５の軸Ｌ２に沿って延びている。この摘み部４７の外周面には、複数の周方向の凹溝４８が、同心状に形成されている。上記摘み部４７の先端は、テーパ状に形成されている。上記摘み部４７は、上記扉２の上記扉下孔２２に差し込まれる。
【００５０】
上記ピン係止部４６は、上記下ピン４５の軸Ｌ２に垂直な方向に延びており、上記下ピン４５の軸Ｌ２方向からみて円形の鍔状に形成されている。上記下ピン４５の上部（上記摘み部４７）を上記扉下孔２２に挿入すると共に上記下ピン４５の下部を上記枠孔４１に挿入したとき、上記ピン係止部４６は、上記扉２の下面と上記下枠体４０の上面との間に挟まれる。
【００５１】
上記下枠体４０は、樹脂部４０ａと、この樹脂部４０ａにインサート成形された板金部４０ｂとを有する。
【００５２】
上記枠孔４１の内面は、上記樹脂部４０ａにて形成されている。このとき、上記下ピン４５と上記下枠体４０は、上記下ピン４５の軸Ｌ２まわり方向に互いに固定されているので、上記枠孔４１の内面の上記樹脂部４０ａを、耐摩耗性の材質で形成する必要がなく、例えば、低コストのＡＢＳ樹脂等で形成してもよい。
【００５３】
上記下枠体４０は、上記冷蔵庫本体１に対して開状態の上記扉２に接触して、この扉２の開方向の回転を阻止するストッパー部４２を有する。このストッパー部４２は、上記樹脂部４０ａから露出した上記板金部４０ｂである。
【００５４】
上記下枠体４０は、長孔４３を有し、上記下枠体４０は、上記長孔４３に遊嵌されたネジ６によって、上記冷蔵庫本体１に取り付けられている。
【００５５】
上記ネジ６は、軸部６ａと頭部６ｂとを有する。この軸部６ａは、上記長孔４３に遊嵌される。上記ネジ６を、上記冷蔵庫本体１に対して、締め付けることで、上記頭部６ｂと上記冷蔵庫本体１によって、上記下枠体４０を挟持する。
【００５６】
上記長孔４３は、上記下枠体４０が上記冷蔵庫本体１に取り付けられた状態で、左右横長に形成されている。この場合、上記下枠体４０を、上記ネジ６に対して、左右方向に移動することができて、上記下枠体４０の取り付け位置を、左右方向に調整できる。
【００５７】
なお、上記長孔４３を上下縦長に形成してもよく、上記下枠体４０の取り付け位置を、上下方向に調整できる。
【００５８】
次に、上記扉２を右開きから左開きに変更する場合を説明する。
【００５９】
まず、図１に示すように、上記カバー部材５を弾性変形させて上記冷蔵庫本体１から取り外す。そして、上記扉２を閉じた状態（すなわち、図３Ａと図３Ｂに示すように、上記ピン係止部３６が、上記枠係止部３２の下側に重ならないとき）で、上記扉２の右側の上記扉上孔２１、および、右側の上記上枠体３０の上記枠孔３１に差し込まれている上記上ピン３５を抜き取る。
【００６０】
その後、上記扉２を上記冷蔵庫本体１から取り外して、上記下ピン４５を右側の上記下枠体４０の上記枠孔４１から抜き取り、この下ピン４５を左側の上記下枠体４０の上記枠孔４１に差し込み、上記扉２の左側の上記扉下孔２２を、上記下ピン４５に差し込む。
【００６１】
そして、抜き取った上記上ピン３５を、左側の上記上枠体３０の上記枠孔３１、および、上記扉２の左側の上記扉上孔２１に差し込むことで、上記扉２を左開きに変更することができる。そして、上記カバー部材５を弾性変形させて上記冷蔵庫本体１に再度取り付ける。このように、専用工具を使用せず、容易に上記扉２の左右開きを変更することができる。
【００６２】
そして、上記扉２を左開きにしたとき、左側の上記上枠体３０と、上記上ピン３５との位置関係は、図３Ａに示す位置関係と左右対称な位置関係にある。すなわち、上記扉２を開けていくとき、上記扉２が右開きの場合、図３Ａおよび図４Ａに示すように、上記ピン係止部３６は、上記上ピン３５の軸Ｌ１を中心として反時計まわり方向に回転する一方、上記扉２が左開きの場合、上記ピン係止部３６は、上記上ピン３５の軸Ｌ１を中心として時計まわり方向に回転する。要するに、上記扉２を左開きにした場合でも、同様に、上記扉２の閉状態では、上記ピン係止部３６は、上記枠係止部３２の下側に重ならない一方、上記扉２の開状態では、上記ピン係止部３６は、上記枠係止部３２の下側に重なる。
【００６３】
このように、上記扉２が右開きであれ左開きであれ、上記扉２の開状態では、上記上ピン３５は、上記上枠体３０から抜き取ることができないので、上記扉２の開状態で上記扉２が落下する危険性がなく、安全性に優れたものになる。
【００６４】
また、上記上ピン３５は、外周面が凹凸状に形成された摘み部３７を有し、上記下ピン４５は、外周面が凹凸状に形成された摘み部４７を有するので、上記摘み部３７，４７を指で摘んだときに、指先が凹凸状の外周面に引っ掛かり滑りにくくなって、上記摘み部３７，４７を確実に摘むことができ、上記上ピン３５および上記下ピン４５の抜き取りまたは差し込みの作業性が向上する。
【００６５】
そして、左右開き付け替え作業で、上記上ピン３５を抜き取る際、上記扉２の自重で上記上ピン３５に力が掛かり、抜けにくくなっているが、上記摘み部３７の外周面は、凸凹状であるので、上記摘み部３７を確実に摘むことができて、上記上ピン３５を容易に抜き取ることができる。
【００６６】
また、製品高さの制約から上記摘み部３７，４７の高さは指先でかろうじて摘める程度の高さであるが、上記摘み部３７，４７の外周面は、凹凸状であるので、上記摘み部３７，４７を確実に摘むことができる。また、上記摘み部３７，４７に潤滑用グリスが付着すると摘みにくくなるが、上記摘み部３７，４７の外周面は、凹凸状であるので、上記摘み部３７，４７を確実に摘むことができる。
【００６７】
なお、比較例として、上記摘み部３７，４７の外周面が滑らかである場合、この摘み部を指で摘むと滑りやすくなって、作業性が劣る。そして、左右開き付け替え作業を行うとき、上記摘み部の高さの制約をうけたとき、または、上記摘み部に潤滑用グリスが付着したとき、上記摘み部の外周面は一層滑りやすくなって、作業性が一層劣る。
【００６８】
また、上記上ピン３５および上記下ピン４５は、それぞれ、上部に上記摘み部３７，４７を有するので、上記上ピン３５および上記下ピン４５のそれぞれは、上部と下部とでは、形状が相違する。したがって、上記上ピン３５および上記下ピン４５を、上下反転して、間違って取り付けることがない。
【００６９】
また、上記下ピン４５と上記下枠体４０は、上記下ピン４５の軸Ｌ２まわり方向に互いに固定されるので、上記下枠体４０の上記下ピン４５との接触部を、耐摩耗性の材質で形成する必要がなく、コストを低減できる。これに対して、上記下ピン４５と上記下枠体４０が、上記下ピン４５の軸Ｌ２まわり方向に互いに回転自在であると、上記下枠体４０の上記下ピン４５との接触部を、耐摩耗性の材質（例えばポリアセタール樹脂）で形成する必要があり、コスト高になる。
【００７０】
また、上記下ピン４５の上記摘み部４７の先端は、テーパ状に形成されているので、上記扉２の上記扉下孔２２を上記摘み部４７に挿入しやすくなる。
【００７１】
また、上記下枠体４０は、樹脂部４０ａと、この樹脂部４０ａにインサート成形された板金部４０ｂとを有するので、上記下枠体４０が上記樹脂部４０ａのみで形成されている場合に比べて、強度を向上できる一方、上記下枠体４０が上記板金部４０ｂのみで形成されている場合に比べて、上記板金部４０ｂの板厚を小さくできて、コストを低減できる。
【００７２】
また、上記ストッパー部４２は、上記樹脂部４０ａから露出した上記板金部４０ｂであるので、上記ストッパー部４２の強度を確保できる。
【００７３】
また、上記下枠体４０は、上記長孔４３に遊嵌されたネジ６によって、上記冷蔵庫本体１に取り付けられているので、上記下枠体４０を、上記ネジ６に対して、上記長孔４３の長手方向に移動することができて、上記下枠体４０の上記冷蔵庫本体１に対する取り付け位置を簡単に調整できる。
【００７４】
なお、この発明は上述の実施形態に限定されない。例えば、上記上枠体３０や上記下枠体４０を、上記冷蔵庫本体１に一体に形成してもよい。また、上記摘み部３７，４７の外周面を、ローレット状に形成してもよく、上記摘み部３７，４７の外周面の形状は、凹凸状であれば、どのような形状でもよい。もちろん、上記摘み部３７，４７の外周面に、上記凹溝３８，４８を設け、かつ、ローレットを設けてもよく、一層滑りにくくなる。
【００７５】
また、上記下ピン４５の上記摘み部４７の少なくとも一部をテーパ状に形成し、そのテーパ状の部分に、ローレット（または／および凹溝）を設けてもよい。これによって、テーパ状の部分にあるローレット（または／および凹溝）で滑りをおさえて摘みやすくなるとともに、上記摘み部４７の高さ寸法を短くできる。さらに、上記摘み部４７がテーパ状になっているため、上記下ピン４５を上記扉２へ挿入しやすくなる。
【００７６】
また、上記摘み部４７において、上記テーパ部分の下側（基端側）に、上記ローレット（または／および凹溝）部分が連接している場合、上記テーパ部分の上側（先端側）が、なだらかな曲面に形成されていると、上記下ピン４５を上記扉２へ挿入するとき、上記下ピン４５が一層引っ掛かりにくくなって、上記下ピン４５を一層挿入しやすくなる。また、上記テーパ部分と上記ローレット（または／および凹溝）部分との連接部分が、エッジ形状や、曲率半径の小さなＲ等の曲面や、小さなＣ面カット等のエッジ部をおさえた形状に形成されていると、上記摘み部４７を一層摘みやすくなる。
【００７７】
また、上記下枠体４０の上記枠孔４１の内面を、上記板金部４０ｂにて形成してもよく、上記下ピン４５を上記枠孔４１に挿入したとき、上記下ピン４５は上記板金部４０ｂに直接接触するので、上記下枠体４０の上記下ピン４５との接触部の強度を向上できる。
【００７８】
また、上記下ピン４５の下部を、底面からみて、楕円形状に形成してもよく、上記下ピン４５の下部の形状は、上記下ピン４５と上記下枠体４０が上記下ピン４５の軸Ｌ２まわり方向に互いに固定される形状であれば、どのような形状でもよい。
【００７９】
また、上記下ピン４５の上記摘み部４７の先端に、アール面を設けてもよく、この摘み部４７の先端の形状は、テーパ状であれば、どのような形状でもよい。
【００８０】
また、上述の実施形態では、上記扉２を上記冷蔵庫本体１に取り付ける場合、上記下枠体４０に上記下ピン４５を取り付けてから、この下ピン４５に上記扉２を取り付けるようにしているが、上記下ピン４５を、上記扉２の上記扉下孔２２の上側から、上記扉２の上記扉下孔２２、および、上記下枠体４０の上記枠孔４１に差し込むようにして、上記扉２を上記冷蔵庫本体１に取り付けるようにしてもよい。
【００８１】
また、上記扉２を上下または左右に複数個配列した冷蔵庫であって、この複数の扉の少なくとも一つの扉に、本発明の上記上ヒンジ構造体３および上記下ヒンジ構造体４を用いればよい。
【図面の簡単な説明】
【００８２】
【図１】本発明の冷蔵庫の一実施形態を示す側面断面図である。
【図２Ａ】冷蔵庫本体の上側の平面図である。
【図２Ｂ】冷蔵庫本体の下側の平面図である。
【図３Ａ】扉の閉状態での上ヒンジ構造体を示す平面図である。
【図３Ｂ】図３Ａの正面断面図である。
【図４Ａ】扉の開状態での上ヒンジ構造体を示す平面図である。
【図４Ｂ】図４Ａの正面図である。
【図５Ａ】下ヒンジ構造体を示す平面図である。
【図５Ｂ】図５ＡのＡ−Ａ断面図である。
【図５Ｃ】図５Ａの正面図である。
【符号の説明】
【００８３】
１    冷蔵庫本体
２    扉
２１    扉上孔
２２    扉下孔
３    上ヒンジ構造体
３０    上枠体
３１    枠孔
３２    枠係止部
３５    上ピン
３６    ピン係止部
３７    摘み部
３８    凹溝
４    下ヒンジ構造体
４０    下枠体
４０ａ    樹脂部
４０ｂ    板金部
４１    枠孔
４２    ストッパー部
４３    長孔
４５    下ピン
４６    ピン係止部
４７    摘み部
４８    凹溝
５    カバー部材
５１    抑止部
６    ネジ
６ａ    軸部
６ｂ    頭部
Ｌ１    （上ピンの）軸
Ｌ２    （下ピンの）軸
【図１】
2007085614.tif 000003
【図２Ａ】
2007085614.tif 000004
【図２Ｂ】
2007085614.tif 000005
【図３Ａ】
2007085614.tif 000006
【図３Ｂ】
2007085614.tif 000007
【図４Ａ】
2007085614.tif 000008
【図４Ｂ】
2007085614.tif 000009
【図５Ａ】
2007085614.tif 000010
【図５Ｂ】
2007085614.tif 000011
【図５Ｃ】
2007085614.tif 000012